(57)【要約】【課題】  比較的少ない労力によって、家の部屋や人が集まる酒場などにおける様々なニーズに応じて雰囲気や演出効果のあるレイアウトに変えることができるドアや扉などの開閉自在体を提供することにある。【解決手段】ドアや扉などの開閉自在体の表面に人の感覚（視覚、聴覚、嗅覚など）に作用する機能部品を取り付けるとともに、様々なニーズに応じて比較的少ない労力により取り替えることできるように構成にする。【選択図】図１
2008088787.tif 000002
【特許請求の範囲】
【請求項１】
一端をヒンジなどによって本体に着脱自在に固定し、多端をつまみなどによって人力で開閉自在に構成するドアや扉などの開閉自在体において、開閉自在体の表面に人の感覚（視覚、聴覚、嗅覚など）に作用する機能部品を取り付けたことを特徴とするドアや扉などの開閉自在体
【発明の詳細な説明】
【技術分野】
【０００１】  本発明は、一端をヒンジなどで固定され、多端が開閉自在に構成されたドアや扉などの開閉自在体に関する。
【背景技術】
【０００２】  従来のドアや扉などの開閉自在体は、例えば人が出入りするためのドアには人が出入りするための基本的な機能しかなく、また戸棚などの扉は中の収納物を出し入れする基本的な機能しかなかった。【０００３】  昨今、趣味や娯楽の多様化により、家庭や酒場などの人が集まる場所や部屋における雰囲気やレイアウトを変えて楽しむ傾向にある。例えば、幼児と大人の部屋の区別、男の子と女の子の部屋の区別、年齢を考慮した部屋の区別、クリスマス会や誕生会などのイベントごとに応じた部屋の区別などである。【０００４】  ところが、従来のドアや扉などの開閉自在体は、前記したように基本的な機能しかなく、これらのニーズに対応するようには構成されていなかった。そこでやむを得ず壁の壁紙に趣向をこらしたり、小物で部屋を飾り付けたりするなどで対応していた。【０００５】  その結果、満足のいく雰囲気つくりができないばかりか、演出効果が高いレイアウトに変えて楽しむことができない問題があった。また、壁紙を使用した場合などは、一度設置してしまうと変更が困難か、または少なくともそれに係る労力が大きなものになるという問題もあった。
【発明の開示】
【発明が解決しようとする課題】
【０００６】  本発明の目的は、上記の問題を一挙に解決するとともに、家の部屋や人が集まる酒場などにおいて、比較的少ない労力によって、様々なニーズに応じて、雰囲気や演出効果のあるレイアウトに変えることができるドアや扉などの開閉自在体を提供することにある。
従来のドアや扉などの開閉自在体は、前記したように基本的な機能しかなく、このようなニーズに対応できていなかった。
【発明の効果】
【０００７】  本発明に係るドアや扉などの開閉自在体は、ケースに応じて雰囲気やレイアウトを変えて演出効果を上げたい、楽しみたいといったような様々なニーズに対応できるとともに、そのための労力や費用が比較的少なくて済むという多大な効果を有する。
【課題を解決するための手段】
【０００８】  上記目的を達成するために、本発明のドアや扉などの開閉自在体は、一端をヒンジなどによって本体（ドアを取り付ける枠体など）に着脱自在に固定し、多端をつまみなどによって人力で開閉自在に構成すると共に、開閉自在体の表面に人の感覚（視覚、聴覚、嗅覚など）に作用する機能部品を取り付けた構成にしている。
【発明を実施するための最良の形態】
【０００９】  図１は本発明の第１実施形態に係る開閉自在体の斜視図、図２はその裏板を外して内部の機能を示した背面図、図３は第２実施形態に係る正面図、図４は第３実施形態に係る正面図、図５は第４実施形態に係る正面図である。【００１０】  まず、一般的な開閉自在体の基本的機能について、図１により説明する。
第１実施形態に係る開閉自在体１は、一端をヒンジ３にボルトなどによって本体２（開閉自在体１を取り付ける枠体など）に着脱自在に固定し、通常は本体２の穴部（図示せず）にばねなどによって付勢された突起６と前記穴部の固定によって、開閉自在体１を本体２に固定する。そして開閉自在体１がドアである場合は出入りするとき、開閉自在体１が戸棚などの収納ケースの扉である場合は収納物を出し入れするとき、摘み部４を手前に操作することによりヒンジ３を中心として回転し、人が出入りし、または収納ケースの収納物を出し入れする。使用後は開閉自在体１を元の状態に戻すことによって、本体２の穴部と突起６によって、初期状態が維持されるよう構成する。【００１１】  次に本発明の第１実施形態に係る開閉自在体を図１及び図２において説明する。当該開閉自在体１は前記の基本機能を有する。さらに開閉自在体１の表面に装飾体５を固定すると共に、開閉自在体１の複数箇所に設けた取付穴１ｂにそれぞれ１個の発光ダイオード８を埋め込む。発光ダイオード８は発光色を異ならせ、適当な位置に配置する。
なお、７は、天使の形をした装飾体であるが、図１では、その天使形状装飾体のひとつを摘み部４として使用する。【００１２】  図２において、開閉自在体１の表板の内部について説明する。
開閉自在体１の表板の裏面には、蓋体１ａと同じ外周を持ち、適当な深さの空洞部を設ける。その空洞部に制御基盤１１、電池９ａを固定するケース９、及び裏板取付板１０ａを固定する。取付穴１ｂに埋め込んだ発光ダイオード８と制御基盤１１は、２本のケーブル８ａを接続し、そのうち１本は発光ダイオード８の発光タイミングを制御するものであり、他は発光のための電気を供給するものである。発光ダイオードによる演出効果は制御基盤１１のコンピュータによって制御するが、点滅や循環（回転方向に順番に点滅することによりあたかも光が循環しているかのように演出すること）や常時点灯など様々な形態が採用できる。【００１３】  １２は、摘み部４を開閉自在体１の表板に固定する固定体であり、美観の関係上裏板（図示せず）の表面に現われないように、かつ摘み部４を取り替えやすいように蓋体１ａ上に固定する。１１ａは制御基盤１１からの配線がしやすいように蓋体１ａに設けた取付穴である。裏板取付板１０ａは、裏板（図示せず）を取り付ける時に左右方向のガイドの役目をしたり、取付強度が増すよう左右に長い矩形形状をしており、蓋体１ａの表面から突出するように蓋体１ａに固定する。蓋体１ａは、開閉自在体１の裏面に設けた空洞部を隠す機能があるが、特に設けなくともよい。裏板（図示せず）を取り外すことで、簡単に電池交換や演出効果を変えるための制御基盤の変更ができることは、ヒンジ３部での開閉自在体１の取り替え作業よりも容易である。【００１４】  次に本発明の第２実施形態に係る開閉自在体を図３において説明する。
この第２実施形態に係る開閉自在体１の表面には、第１実施形態に係る天使の翼形状装飾体５と異なる形状（恐竜）の装飾体５を固定する。恐竜状装飾体５の更にその表面上には、卵形状の操作体１３を収納するポケット１４を固定する。ポケット１４の底部１４ａにセンサー板１４ｃを固定すると共に、起動板１４ｂを片持ち状に固定する。起動板１４ｂは、ポケット１４に操作体１３を収納した時はセンサー板１４ｃと非接触状態であり、操作体１３を取り出した時はセンサー板１４ｃと接触するように構成する。また、恐竜状装飾体５には、恐竜のうろこ部を利用して、空洞部１５ａとそれをカバーするカバー体１５を取り付ける。センサー板１４ｃと起動板１４ｂをケーブルで連結した電池（図示せず）と制御基盤（図示せず）を、空洞部１５ａから電池交換などの作業ができるように開閉自在体１に固定する。また、ポケット１４から操作体１３を取り出したときに恐竜の鳴き声を出すスピーカ（図示せず）の発音部をポケット１４に開放するよう開閉自在体１に固定する。更に恐竜の泣き声が聞き取りやすいよう、ポケット１４の底面は開放にする。
発声音の種類は制御基盤のコンピュータの変更で変更できる。また、第１実施形態のように光を使った演出効果を併用してもよい。このように、開閉自在体１の正面から簡単に電池交換や演出効果を変えるための制御基盤の変更ができることは、ヒンジ３部での開閉自在体１の取り替え作業よりも容易である。【００１５】  次に本発明の第３実施形態に係る開閉自在体を図４において説明する。
この第３実施形態に係る開閉自在体１の表面には、グランドピアノ形状の装飾体５を固定する。鍵盤取り付け穴１６ａには、鍵盤１６を設ける。鍵盤１６は実際に押したら音が出るように構成する。演奏機能を担当する各部品は、開閉自在体１の側面から見た厚み内に納める。例えば、おもちゃのピアノと同じような演奏機能構造体を開閉自在体１の厚みを考慮して薄くして開閉自在体１の内部に埋め込む。なお、ピアノ音が拡声するために装飾体５に穴を複数設けてもよい。
なお、図４の開閉自在体１は、その外周においてグランドピアノのシルエットを模した形状にしており、そうすることにより更に開閉自在体１から得られる演出効果が高くなる。ピアノ音は第１実施形態のように制御基盤のコンピュータによる制御も可能である。また、第１実施形態のように光を使った演出効果を併用してもよい。第１実施形態のように裏板との２層構造にすれば、裏板を取り外すだけで簡単に電池交換をしたり、演出効果を変えるための制御基盤の変更ができることは、ヒンジ３部での開閉自在体１の取り替え作業よりも容易である。【００１６】  なお、第２実施形態及び第３実施形態は共に五感のうち「聴覚」に訴えるものとして、恐竜の鳴き声やピアノの鍵盤を叩いて出す音を採用したが、そのほかオルゴール（音）やチャイム（音）など種々の単独または複数音の組み合わせを採用してもよい。【００１７】  次に本発明の第４実施形態に係る開閉自在体を図５において説明する。
この第４実施形態に係る開閉自在体１の下部表面には、犬やネコなどのペット形状の装飾体５を固定する。装飾体５付近には、ペットが出入りする窓５ａを設け、またその窓５ａを通常は閉鎖する閉鎖板５ｂを窓５ａ上部周りに回転するよう開閉自在体１に固定する。
なお、当該装飾体５を着脱自在にすると、開閉自在体１を変更する場合に比べて変更に関する労力が少なくて済む。【００１８】  次に本発明の第５実施形態に係る開閉自在体を説明する（図示なし）。
この第５実施形態に係る開閉自在体は、表面に様々な装飾を施した装飾体を開閉自在体と別に用意する。開閉自在体は、装飾体を収納できる空洞部も設けると共に、開閉自在体の正面から、空洞部に収納した装飾体を鑑賞できるような窓部を設ける。また、開閉自在体の側部（厚み方向）から装飾体を出し入れする「紙芝居形式」や、開閉自在体の正面方向から装飾体をはめ込む「額縁方式」ができるような開閉自在体の構成にする。いずれの方式でも開閉自在体の正面にある窓部から、空洞部に収納した装飾体を鑑賞するようにし、装飾体の交換により、違った演出が比較的少ない労力により得られる。【００１９】  なお、嗅覚に訴える機能として、香水やアロマオイル（匂い）などを収納した部品を当該ドアに組み込んでもよい。【００２０】  本発明にかかる開閉自在体は以上の構成からなり、以下のように使用する。
例えば、幼児や男の子と女の子などの性別や年齢によって違う雰囲気の部屋にしたい場合や、クリスマス会や誕生会などにマッチした雰囲気や演出効果を上げたい場合は、開閉自在体のヒンジ部にて開閉自在体を、人の感覚（視覚、聴覚、嗅覚など）に作用する機能部品を有する本発明に係る開閉自在体に取り替える。または、開閉自在体はそのままで、人の感覚（視覚、聴覚、嗅覚など）に作用する機能部品（装飾体、制御基盤、コンピュータ）を変更する。
そうすることによって、基本的な機能しかない従前の開閉自在体の問題を一挙に解決するとともに、家の部屋や人が集まる酒場などにおいて、比較的少ない労力によって、様々なニーズに応じて、雰囲気や演出効果のあるレイアウトに変えることができる。
【図面の簡単な説明】
【００２１】
【図１】  本発明の第１実施形態に係る開閉自在体の斜視図
【図２】  本発明の第１実施形態に係る開閉自在体の裏板を外して内部の機能を示した背面図
【図３】  本発明の第２実施形態に係る正面図
【図４】  本発明の第３実施形態に係る正面図
【図５】  本発明の第４実施形態に係る正面図
【符号の説明】
１        開閉自在体
１ａ      蓋体
１ｂ      取付穴
２        本体
３        ヒンジ
４        摘み部
５        装飾体
５ａ      ペットが出入りする窓
５ｂ      閉鎖板
６        突起
７        天使の形をした装飾体
８        発光ダイオード
８ａ      ケーブル
９        固定するケース
９ａ      電池
１０ａ    裏板取付板
１１      制御基盤
１１ａ    取付穴
１２      固定体
１３      操作体
１４      ポケット
１４ａ    ポケットの底部
１４ｂ    起動板
１４ｃ    センサー板
１５      カバー体
１５ａ    空洞部
１６      鍵盤
１６ａ    鍵盤取り付け穴
【図１】
2008088787.tif 000003
【図２】
2008088787.tif 000004
【図３】
2008088787.tif 000005
【図４】
2008088787.tif 000006
【図５】
2008088787.tif 000007